(57)【要約】【課題】デジタル放送受信装置において、ＴＶ番組をアナログ信号で外部出力する際のユ−ザによる手間を低減する。【解決手段】ＴＶ受像機は、ユ−ザによってデジタル放送のＴＶ番組が選局されると、「ｄｉｓａｂｌｅ＿ａｎａｌｏｇ＿ｓｄ＿ｅｘｐｏｒｔ」等のフラグから、このＴＶ番組をアナログ出力できるか判断し（Ｓ２）、アナログ出力できない場合（Ｓ３でＮＯ）、その旨を表示する（Ｓ４）。そして、ＴＶ受像機は、アナログ出力が有効なデジタルサイマル放送の有無を判断する処理（Ｓ５）を行い、アナログ出力が有効なデジタルサイマル放送がある場合（Ｓ６でＹＥＳ）、その旨を表示し（Ｓ７）、ユーザがチャンネル切り替えを指示すると（Ｓ８でＹＥＳ）、デジタルサイマル放送のチャンネルに切り替える（Ｓ９）。一方、アナログ出力が有効なデジタルサイマル放送がない場合（Ｓ６でＮＯ）、アナログサイマル放送があるか否かを判断する（Ｓ１０）。【選択図】図３
2012049729.tif 000002
【特許請求の範囲】
【請求項１】
放送局から配信される各チャンネルのデジタル放送信号を受信するデジタル放送信号受信手段と、
前記デジタル放送受信手段によって受信されたデジタル放送信号に基づくテレビジョン番組をアナログ信号で外部出力するためのアナログ信号出力手段と、
装置各部を制御する制御手段とを備えるデジタル放送受信装置において、
前記デジタル放送信号受信手段によって受信されたデジタル放送信号から、デジタル放送信号に基づくテレビジョン番組を前記アナログ信号出力手段を用いてアナログ信号で外部出力できるか否かを示すアナログ信号出力可否フラグを取得するアナログ信号出力可否フラグ取得手段と、
前記アナログ信号出力可否フラグ取得手段によって取得された前記アナログ信号出力可否フラグの内容から、前記デジタル放送信号受信手段によって受信されたデジタル放送信号に基づくテレビジョン番組を、前記アナログ信号出力手段を用いてアナログ信号で外部出力できるか否かを判断するアナログ信号出力可否判断手段と、
前記デジタル放送信号受信手段によって受信可能なデジタル放送信号に基づくテレビジョン番組内に、ユ−ザによって選局されたデジタル放送信号のチャンネルで放送されているテレビジョン番組のサイマル放送があるか否かを判断する第１サイマル放送有無判断手段とをさらに備え、
前記制御手段は、
ユ−ザによって選局されたデジタル放送信号のチャンネルで放送されているテレビジョン番組が、前記アナログ信号出力可否判断手段によって前記アナログ信号出力手段を用いてアナログ信号で外部出力できないと判断されたときに、
前記第１サイマル放送有無判断手段によって、前記デジタル放送信号受信手段によって受信可能なデジタル放送信号に基づくテレビジョン番組内に、前記ユ−ザによって選局されたデジタル放送信号のチャンネルで放送されているテレビジョン番組のサイマル放送があると判断された場合であって、該サイマル放送に基づくテレビジョン番組が、前記アナログ信号出力可否判断手段によって、前記アナログ信号出力手段を用いてアナログ信号で外部出力できると判断されたときに、該サイマル放送のチャンネルに切り替えることを特徴とするデジタル放送受信装置。
【請求項２】
放送局から配信される各チャンネルのアナログ放送信号を受信するアナログ放送信号受信手段と、
前記アナログ放送信号受信手段によって受信可能なアナログ放送信号に基づくテレビジョン番組内に、ユ−ザによって選局されたデジタル放送信号のチャンネルに基づくテレビジョン番組のサイマル放送があるか否かを判断する第２サイマル放送有無判断手段とをさらに備え、
前記アナログ信号出力手段は、前記アナログ放送受信手段によって受信されたアナログ放送信号に基づくテレビジョン番組をアナログ信号で外部出力でき、
前記制御手段は、
ユ−ザによって選局されたデジタル放送信号のチャンネルで放送されているテレビジョン番組が、前記アナログ信号出力可否判断手段によって前記アナログ信号出力手段を用いてアナログ信号を外部出力できないと判断されたときに、
前記第１サイマル放送有無判断手段によって、前記デジタル放送信号受信手段によって受信可能なデジタル放送信号に基づくテレビジョン番組内に、前記ユ−ザによって選局されたデジタル放送信号のチャンネルで放送されているテレビジョン番組のサイマル放送がないと判断された場合、又は、前記第１サイマル放送有無判断手段によって、前記デジタル放送信号受信手段によって受信可能なデジタル放送信号に基づくテレビジョン番組内に、前記ユ−ザによって選局されたデジタル放送信号のチャンネルで放送されているテレビジョン番組のサイマル放送があると判断されたときであって、該サイマル放送に基づくテレビジョン番組が、前記アナログ信号出力可否判断手段によって前記アナログ信号出力手段を用いてアナログ信号で外部出力できないと判断された場合、
前記第２サイマル放送有無判断手段によって、前記アナログ放送信号受信手段よって受信可能なアナログ放送信号に基づくテレビジョン番組内に、前記ユ−ザによって選局されたデジタル放送信号のチャンネルで放送されているテレビジョン番組のサイマル放送があると判断されたとき、該アナログ放送信号に基づくテレビジョン番組内のサイマル放送のチャンネルに切り替えることを特徴とする請求項１に記載のデジタル放送受信装置。
【発明の詳細な説明】
【技術分野】
【０００１】
本発明は、テレビジョン番組をアナログ信号で外部出力できるデジタル放送受信装置に関する。
【背景技術】
【０００２】
従来から、アナログ信号を外部出力するためのアナログビデオ出力部を有するテレビジョン（以下、ＴＶという）受像機が知られている。このＴＶ受像機では、アナログビデオ出力部からＴＶ番組をアナログ信号で外部機器に出力することができる。ところで、アナログ信号にコピーガードを付したとしても、コピーガードの除去が比較的容易であることが多く、このアナログ信号を用いてＴＶ番組等の海賊版を容易に作成可能であることが懸念されている。
【０００３】
近年、例えば欧州のデジタルテレビ放送においては、ＴＶ番組のＨＤ（Ｈｉｇｈ  Ｄｅｆｉｎｉｔｉｏｎ）放送化や、所謂ネットワーク化の普及を考慮して（ネットワークを介してＴＶ番組の品質をほぼ劣化させることなしに容易に頒布可能であることを考慮して）、コンテンツのアナログ信号による外部出力を禁止することが検討されている。その場合、ＴＶ受像機のアナログビデオ出力部に録画装置を接続しても、この種のＴＶ番組をアナログ信号で外部出力できないため、録画装置にＴＶ番組を録画できない。
【０００４】
しかしながら、アナログ信号出力が禁止されたＴＶ番組と同一内容のＴＶ番組がサイマル放送され、このサイマル放送のＴＶ番組のアナログ信号出力が禁止されていない場合がある。その場合、ユ−ザはサイマル放送のチャンネルに切り替えることにより、所望のＴＶ番組をアナログ信号で外部出力させ、ＴＶ受像機のアナログビデオ出力部に接続した録画装置に録画することができる。しかしながら、この方法では、ユ−ザは所望のＴＶ番組がサイマル放送されているか否かを調べる必要があり、さらに、サイマル放送されている場合であっても、そのサイマル放送のＴＶ番組をアナログ信号で外部出力することが禁止されているか否かを判断する必要がある。従って、ユーザにとって非常に手間がかかる。
【０００５】
これに対して、特許文献１には、ユーザによって録画対象のアナログ放送番組が選択されると、選択されたアナログ放送番組のサイマル放送を行っているデジタル放送のチャンネルに自動的に変換して録画を予約する録画装置が開示されている。しかしながら、この録画装置では上記問題を解決できない。
【０００６】
また、特許文献２には、ネットワークを介して少なくとも１つの暗号化コンテンツストリーム受信し、受信した暗号化コンテンツストリームを解読し、且つ、解読されたコンテンツストリームにセキュアリンク暗号化を適用した後にネットワークに出力してコンテンツを保護するコピ−管理システムが開示されている。しかしながら、このコピ−管理システムでも上記問題を解決できない。
【先行技術文献】
【特許文献】
【０００７】
【特許文献１】特開２００８−３５２３７号公報
【特許文献２】特開２００３−２１８８５２号公報
【発明の概要】
【発明が解決しようとする課題】
【０００８】
本発明は、上述した問題点を解決するためになされたものであり、ＴＶ番組をアナログ信号で外部出力する際のユ−ザによる手間を低減できるデジタル放送受信装置を提供することを目的とする。
【課題を解決するための手段】
【０００９】
上記目的を達成するために請求項１の発明は、放送局から配信される各チャンネルのデジタル放送信号を受信するデジタル放送信号受信手段と、前記デジタル放送受信手段によって受信されたデジタル放送信号に基づくテレビジョン番組をアナログ信号で外部出力するためのアナログ信号出力手段と、装置各部を制御する制御手段とを備えるデジタル放送受信装置において、前記デジタル放送信号受信手段によって受信されたデジタル放送信号から、デジタル放送信号に基づくテレビジョン番組を前記アナログ信号出力手段を用いてアナログ信号で外部出力できるか否かを示すアナログ信号出力可否フラグを取得するアナログ信号出力可否フラグ取得手段と、前記アナログ信号出力可否フラグ取得手段によって取得された前記アナログ信号出力可否フラグの内容から、前記デジタル放送信号受信手段によって受信されたデジタル放送信号に基づくテレビジョン番組を、前記アナログ信号出力手段を用いてアナログ信号で外部出力できるか否かを判断するアナログ信号出力可否判断手段と、前記デジタル放送信号受信手段によって受信可能なデジタル放送信号に基づくテレビジョン番組内に、ユ−ザによって選局されたデジタル放送信号のチャンネルで放送されているテレビジョン番組のサイマル放送があるか否かを判断する第１サイマル放送有無判断手段とをさらに備え、前記制御手段は、ユ−ザによって選局されたデジタル放送信号のチャンネルで放送されているテレビジョン番組が、前記アナログ信号出力可否判断手段によって前記アナログ信号出力手段を用いてアナログ信号で外部出力できないと判断されたときに、前記第１サイマル放送有無判断手段によって、前記デジタル放送信号受信手段によって受信可能なデジタル放送信号に基づくテレビジョン番組内に、前記ユ−ザによって選局されたデジタル放送信号のチャンネルで放送されているテレビジョン番組のサイマル放送があると判断された場合であって、該サイマル放送に基づくテレビジョン番組が、前記アナログ信号出力可否判断手段によって、前記アナログ信号出力手段を用いてアナログ信号で外部出力できると判断されたときに、該サイマル放送のチャンネルに切り替えるものである。
【００１０】
また、請求項２の発明は、請求項１に記載のテレビジョン受像機において、放送局から配信される各チャンネルのアナログ放送信号を受信するアナログ放送信号受信手段と、前記アナログ放送信号受信手段によって受信可能なアナログ放送信号に基づくテレビジョン番組内に、ユ−ザによって選局されたデジタル放送信号のチャンネルに基づくテレビジョン番組のサイマル放送があるか否かを判断する第２サイマル放送有無判断手段とをさらに備え、前記アナログ信号出力手段は、前記アナログ放送受信手段によって受信されたアナログ放送信号に基づくテレビジョン番組をアナログ信号で外部出力でき、前記制御手段は、ユ−ザによって選局されたデジタル放送信号のチャンネルで放送されているテレビジョン番組が、前記アナログ信号出力可否判断手段によって前記アナログ信号出力手段を用いてアナログ信号を外部出力できないと判断されたときに、前記第１サイマル放送有無判断手段によって、前記デジタル放送信号受信手段によって受信可能なデジタル放送信号に基づくテレビジョン番組内に、前記ユ−ザによって選局されたデジタル放送信号のチャンネルで放送されているテレビジョン番組のサイマル放送がないと判断された場合、又は、前記第１サイマル放送有無判断手段によって、前記デジタル放送信号受信手段によって受信可能なデジタル放送信号に基づくテレビジョン番組内に、前記ユ−ザによって選局されたデジタル放送信号のチャンネルで放送されているテレビジョン番組のサイマル放送があると判断されたときであって、該サイマル放送に基づくテレビジョン番組が、前記アナログ信号出力可否判断手段によって前記アナログ信号出力手段を用いてアナログ信号で外部出力できないと判断された場合、前記第２サイマル放送有無判断手段によって、前記アナログ放送信号受信手段よって受信可能なアナログ放送信号に基づくテレビジョン番組内に、前記ユ−ザによって選局されたデジタル放送信号のチャンネルで放送されているテレビジョン番組のサイマル放送があると判断されたとき、該アナログ放送信号に基づくテレビジョン番組内のサイマル放送のチャンネルに切り替えるものである。
【発明の効果】
【００１１】
請求項１の発明によれば、ユ−ザによって選局されたデジタル放送信号のテレビジョン番組がアナログ信号で外部出力できないと判断されたときに、受信可能なデジタル放送信号に基づくテレビジョン番組内に、ユ−ザによって選局されたテレビジョン番組のサイマル放送があり、このテレビジョン番組がアナログ信号で外部出力できると判断されたときに、サイマル放送のチャンネルに切り替える。そのため、ユ−ザは選局したテレビジョン番組のサイマル放送を探す手間が無くなると共に、サイマル放送のテレビジョン番組がアナログ信号で外部出力できるか否かを判断する手間も無くなり、テレビジョン番組をアナログ信号で外部出力する際の手間を低減できる。また、例えばテレビジョン番組をアナログ信号で録画機器に外部出力することによりテレビジョン番組を録画する際のユ−ザによる手間も低減できる。
【００１２】
請求項２の発明によれば、ユ−ザによって選局されたデジタル放送信号のテレビジョン番組がアナログ信号を外部出力できないと判断されたときに、（１）受信可能なデジタル放送信号に基づくテレビジョン番組内に、ユ−ザによって選局されたデジタル放送信号のチャンネルで放送されているテレビジョン番組のサイマル放送がないと判断された場合、又は、（２）受信可能なデジタル放送信号に基づくテレビジョン番組内に、ユ−ザによって選局されたデジタル放送信号のチャンネルで放送されているテレビジョン番組のサイマル放送があると判断されたときであって、該サイマル放送に基づくテレビジョン番組がアナログ信号で外部出力できないと判断された場合、以下の処理を行う。すなわち、受信可能なアナログ放送信号に基づくテレビジョン番組内に、ユ−ザによって選局されたデジタル放送信号のチャンネルで放送されているテレビジョン番組のサイマル放送があると判断されたとき、アナログ放送信号に基づくテレビジョン番組内のサイマル放送のチャンネルに切り替える。そのため、ユ−ザは選局したテレビジョン番組の、アナログ放送信号に基づくサイマル放送を探す手間が無くなるので、テレビジョン番組をアナログ信号で外部出力する際の手間を低減できる。また、ユ−ザによって選局されたデジタル放送信号のテレビジョン番組を、アナログ放送信号のサイマル放送に切り替えることができるため、ユ−ザが所望のテレビジョン番組をより確実にアナログ信号で外部出力することができる。
【図面の簡単な説明】
【００１３】
【図１】本発明の一実施形態に係るＴＶ受像機と、このＴＶ受像機を操作するためのリモコンとを示す斜視図。
【図２】上記ＴＶ受像機の内部構成を示すブロック図。
【図３】上記ＴＶ受像機におけるアナログビデオ出力処理の手順を示すフローチャート。
【図４】上記ＴＶ受像機のディスプレイに表示されるＯＳＤの一例を示す説明図。
【図５】上記ＴＶ受像機のディスプレイに表示されるＯＳＤの一例を示す説明図。
【図６】上記ＴＶ受像機のディスプレイに表示されるＯＳＤの一例を示す説明図。
【図７】上記アナログビデオ出力処理におけるデジタルサイマル放送判断処理の手順を示すフローチャート。
【図８】上記アナログビデオ出力処理におけるアナログサイマル放送判断処理の手順を示すフローチャート。
【発明を実施するための形態】
【００１４】
以下、本発明の一実施形態に係るテレビジョン受像機（請求項におけるデジタル放送受信装置）について、図１及び図２を参照して説明する。図１は、テレビジョン（以下、ＴＶという）受像機１と、このＴＶ受像機１を操作するリモコン２との外観を示し、図２は、ＴＶ受像機１の内部構成を示す。
【００１５】
ＴＶ受像機１は、デジタル放送信号を受信するデジタルチューナ部（デジタル放送信号受信手段）１１と、アナログ放送信号を受信するアナログチュ−ナ部（アナログ放送信号受信手段）１２と、ＴＶ番組の映像やＯＳＤ（Ｏｎ−Ｓｃｒｅｅｎ  Ｄｉｓｐｌａｙ）を表示するディスプレイ１３と、ＴＶ番組の音声を出力するスピーカ１４とを備える。また、ＴＶ受像機１は、リモコン２から送信されるリモコン信号を受信するリモコン信号受信部１５と、筐体外部に露出するように設けられたＨＤＭＩ端子部１６と、ＴＶ番組をアナログ信号で外部出力するためのアナログビデオ出力部（アナログ信号出力手段）１７と、各種情報を記憶したメモリ１８と、装置各部を制御するための制御用マイコン（制御手段）１９とをさらに備える。
【００１６】
リモコン２は、ユ−ザによって操作される複数の操作ボタン（図示せず）を有し、ＴＶ受像機１に対してユーザによる操作に応じたリモコン信号を送信する。具体的には例えば、ユ−ザによってチャンネルの選局や、視聴中のＴＶ番組をアナログビデオ出力部１７から外部出力する等の指示操作が行なわれると、リモコン２は、ＴＶ受像機１に対して、これらを指示するためのリモコン信号をＴＶ受像機１に送信する。
【００１７】
デジタルチューナ部１１は、デコ−ダ１１ａを有し、不図示のアンテナと接続されて、放送局から配信される各チャンネルのデジタル放送信号を受信する。また、デジタルチューナ部１１は、放送局から配信されるデジタル放送信号のトランスポートストリーム（以下、ＴＳという）に含まれる番組情報等を受信して制御用マイコン１９に出力する。デジタル放送信号は、例えばＤＶＢ（Ｄｉｇｉｔａｌ  Ｖｉｄｅｏ  Ｂｒｏａｄｃａｓｔｉｎｇ）規格により規定されるＳＤ（Ｓｔａｎｄａｒｄ  Ｄｅｆｉｎｉｔｉｏｎ）放送信号やＨＤ（Ｈｉｇｈ  Ｄｅｆｉｎｉｔｉｏｎ）放送信号から構成される。デコ−ダ１１ａは、例えばＭＰＥＧ−２方式やＨ．２６４規格等で符号化されたＴＶ番組のデジタル放送信号を復号して、ＴＶ番組の映像信号及び音声信号を制御用マイコン１９に出力する。
【００１８】
アナログチューナ部１２は、不図示のアンテナと接続され、放送局から配信される各チャンネルのアナログ放送信号を受信し、受信したアナログ放送信号に基づくＴＶ番組の映像信号及び音声信号を制御用マイコン１９に出力する。
【００１９】
リモコン信号受信部１５は、リモコン２から送信されるリモコン信号を受信して、制御用マイコン１９に出力する。
【００２０】
アナログビデオ出力部１７は、筐体外部に露出するように設けられ、外部機器と接続するためのアナログビデオ出力端子１７ａを有し、デジタルチュ−ナ部１１によって受信されたデジタル放送信号に基づくＴＶ番組と、アナログチュ−ナ部１２によって受信されたアナログ放送信号に基づくＴＶ番組とをアナログ信号で外部出力する。
【００２１】
メモリ１８は、制御用マイコン１９を動作させるためのプログラム１８ａと、チャンネルマップ１８ｂと、番組情報１８ｃと、アナログ出力可否情報１８ｄとを記憶している。
【００２２】
チャンネルマップ１８ｂは、デジタルチューナ部１１及びアナログチュ−ナ部１２によって受信可能なチャンネルの情報を記憶している。チャンネルマップ１８ｂは、例えばＴＶ受像機１の初期設定時等において放送信号周波数帯域の全域をサ−チすることにより記憶され、その後のチャンネル選局時にこれらの情報が使用される。
【００２３】
番組情報１８ｃは、デジタルチューナ部１１によって受信されるＥＰＧ情報に基づいて、各チャンネルに対応する放送局名や番組タイトル等の番組情報を記憶している。また、番組情報１８ｃは、アナログチューナ部１１によって受信される各チャンネルに対応する放送局名をさらに記憶している。
【００２４】
アナログ出力可否情報１８ｄは、デジタルチュ−ナ部１１によって受信されるデジタル放送信号に基づくＴＶ番組をアナログビデオ出力部１７を用いてアナログ信号で外部出力できるか否かを示す情報を記憶している。具体的には例えば、アナログ出力可否情報１８ｄは、欧州デジタル放送規格（ＤＶＢ）のＣｏｎｔｅｎｔ  Ｐｒｏｔｅｃｔｉｏｎ  ａｎｄ  Ｃｏｐｙ  Ｍａｎａｇｅｍｅｎｔ（ＤＶＢ−ＣＰＣＭ）、ＣＰＣＭ  Ｓｙｓｔｅｍ  Ｓｐｅｃｉｆｉｃａｔｉｏｎに記載されているように、ＴＳに含まれるＣＰＣＭ  ＵＳＩ（ＣＰＣＭ  Ｕｓａｇｅ  Ｓｔａｔｅ  Ｉｎｆｏｒｍａｔｉｏｎ）に基づく「ｄｉｓａｂｌｅ＿ａｎａｌｏｇ＿ｓｄ＿ｅｘｐｏｒｔ」というＳＤ画質によるアナログ信号出力の可否をフラグで示す記述子や、「ｄｉｓａｂｌｅ＿ａｎａｌｏｇ＿ｈｄ＿ｅｘｐｏｒｔ」というＨＤ画質によるアナログ信号出力の可否をフラグで示す記述子の内容を格納している。これらの記述子のフラグを判断することにより、デジタルチュ−ナ部１１によって受信されるＴＶ番組をアナログ信号で外部出力が可能か否かを判断することができる。
【００２５】
制御用マイコン１９は、映像出力部１９ａと、音声出力部１９ｂと、アナログ信号出力部１９ｃと、アナログ出力フラグ取得部（アナログ信号出力可否フラグ取得手段）１９ｄと、アナログ出力フラグ判断部（アナログ信号出力可否判断手段）１９ｅと、デジタルサイマル放送判断部（第１サイマル放送有無判断手段）１９ｆと、アナログサイマル放送判断部（第２サイマル放送有無判断手段）１９ｇと、ＯＳＤ出力部１９ｈとを有し、ユーザによるリモコン２の操作等に基づいて自装置を動作させる。
【００２６】
映像出力部１９ａは、デジタルチューナ部１１及びアナログチューナ部１２によって受信されたＴＶ番組の映像をディスプレイ１３に出力する。音声出力部１９ｂは、デジタルチューナ部１１及びアナログチューナ部１２によって受信されたＴＶ番組の音声をスピーカ１４に出力する。
【００２７】
アナログ信号出力部１９ｃは、アナログ信号で外部出力できると判断されたデジタル放送信号に基づくＴＶ番組の映像及び音声を、アナログ信号に変換（Ｄ／Ａ変換）した後にアナログ信号でアナログビデオ出力部１７から外部出力する。また、アナログ信号出力部１９ｃは、アナログ放送信号に基づくＴＶ番組の映像及び音声をアナログ信号で外部出力する。
【００２８】
アナログ出力フラグ取得部１９ｄは、デジタルチュ−ナ部１１によって受信されたデジタル放送信号のＴＳ内から、各チャンネルのＴＶ番組に対応する「ｄｉｓａｂｌｅ＿ａｎａｌｏｇ＿ｓｄ＿ｅｘｐｏｒｔ」と「ｄｉｓａｂｌｅ＿ａｎａｌｏｇ＿ｈｄ＿ｅｘｐｏｒｔ」の記述子のフラグを取得し、取得した内容をアナログ出力可否情報１８ｄに格納する。
【００２９】
アナログ出力フラグ判断部１９ｅは、アナログ出力可否情報１８ｄの内容から、デジタルチュ−ナ部１１によって受信されたデジタル放送信号に基づくＴＶ番組を、アナログビデオ出力部１７を用いてアナログ信号で外部出力できるか否かを判断する。すなわち、「ｄｉｓａｂｌｅ＿ａｎａｌｏｇ＿ｓｄ＿ｅｘｐｏｒｔ」のフラグがオンのＴＶ番組は、アナログ信号によりＳＤ画質で外部出力ができないと判断する。「ｄｉｓａｂｌｅ＿ａｎａｌｏｇ＿ｈｄ＿ｅｘｐｏｒｔ」のフラグがオンのＴＶ番組は、アナログ信号によりＨＤ画質で外部出力ができないと判断する。
【００３０】
デジタルサイマル放送判断部１９ｆは、デジタルチュ−ナ部１１によって受信可能なデジタル放送信号に基づくＴＶ番組内に、ユ−ザによって選局されたデジタル放送信号のチャンネルで放送されているＴＶ番組のサイマル放送（以下、デジタルサイマル放送という）があるか否かを判断する。具体的には例えば、チャンネルマップ１８ｂに記載されているチャンネルの中から、番組情報１８ｃの内容に基づいて、ユ−ザによって選局されているチャンネルのＴＶ番組と放送局名及び番組タイトル名が同一であるＴＶ番組がある場合、そのＴＶ番組の放送がデジタルサイマル放送であると判断する。
【００３１】
アナログサイマル放送判断部１９ｇは、アナログチュ−ナ部１２によって受信可能なアナログ放送信号に基づくＴＶ番組内に、ユ−ザによって選局されたデジタル放送信号のチャンネルで放送されているＴＶ番組のサイマル放送（以下、アナログサイマル放送）があるか否かを判断する。具体的には例えば、アナログチュ−ナ部１２によって受信可能なチャンネルマップ１８ｂに記載されているチャンネルの中から、番組情報１８ｃの内容に基づいて、ユ−ザによって選局されているチャンネルのＴＶ番組と放送局名が同一のＴＶ番組がある場合、そのＴＶ番組の放送がアナログサイマル放送であると判断する。
【００３２】
ＯＳＤ出力部１９ｈは、各種メッセ−ジをディスプレイ１３にＯＳＤで表示させる。
【００３３】
次に、ＴＶ受像機１におけるアナログビデオ出力処理について、図３乃至図６を参照して説明する。図３は、ＴＶ受像機１におけるアナログビデオ出力処理の手順を示すフローチャートである。図４乃至図６は、ＴＶ受像機２のディスプレイ１３にＯＳＤで表示されるメッセ−ジの一例を示す。ここでは、既にデジタルチューナ部１１及びアナログチュ−ナ部１２を用いてデジタル放送及びアナログ放送のチャンネルのサ−チを行うことにより、チャンネルマップ１８ｂが記憶されているものとする。また、アナログ信号による外部出力をアナログ出力と略す。
【００３４】
まず、制御用マイコン１９は、ＴＶ受像機１の起動時に、デジタルチュ−ナ部１１を用いてオートサーチを行うと共に、アナログ出力フラグ取得部１９ｄを用いて各チャンネルのＴＶ番組に対するアナログ出力の可否情報を取得した後、アナログ出力の可否情報の内容をアナログ出力可否情報１８ｄに記憶する（Ｓ１）。なお、各チャンネルのＴＶ番組に対するアナログ出力の可否情報は、ユ−ザによってＴＶ番組が選局された時に取得してもよい。
【００３５】
そして、ユ−ザによってリモコン２が操作され、デジタル放送信号のＴＶ番組が選局されると、制御用マイコン１９は、アナログ出力フラグ判断部１９ｅを用いて、アナログ出力可否情報１８ｄの内容から、ユ−ザによって選局されたこのＴＶ番組をアナログ出力できるか否かを判断する（Ｓ２）。具体的には、このＴＶ番組に対応する「ｄｉｓａｂｌｅ＿ａｎａｌｏｇ＿ｓｄ＿ｅｘｐｏｒｔ」又は「ｄｉｓａｂｌｅ＿ａｎａｌｏｇ＿ｈｄ＿ｅｘｐｏｒｔ」のいずれかのフラグがオフであるか否かを判断する。
【００３６】
上記Ｓ２の判断の結果、アナログ出力できない場合（Ｓ３でＮＯ）、すなわち、「ｄｉｓａｂｌｅ＿ａｎａｌｏｇ＿ｓｄ＿ｅｘｐｏｒｔ」及び「ｄｉｓａｂｌｅ＿ａｎａｌｏｇ＿ｈｄ＿ｅｘｐｏｒｔ」のいずれのフラグもオンである場合、制御用マイコン１９は、ＯＳＤ出力部１９ｈを用いて、アナログ出力が無効である旨のメッセ−ジをディスプレイ１３に表示する（Ｓ４）。
【００３７】
上記Ｓ４でディスプレイ１３に表示されるＯＳＤのメッセ−ジは、例えば、図４に示すように、「アナログビデオ出力できません」というものである。なお、ディスプレイ１３に表示されている「１ＣＨ」はユ−ザによって選局されているチャンネルを示す。
【００３８】
そして、制御用マイコン１９は、アナログ出力が有効なデジタルサイマル放送の有無を判断するためのデジタルサイマル放送判断処理（Ｓ５）を行い、この判断処理の結果、アナログ出力が有効なデジタルサイマル放送がある場合（Ｓ６でＹＥＳ）、ＯＳＤ出力部１９ｈを用いて、他チャンネルでアナログ出力が有効なサイマル放送がある旨のメッセ−ジをディスプレイ１３に表示する（Ｓ７）。
【００３９】
上記Ｓ７でディスプレイ１３に表示されるメッセ−ジは、例えば、ユ−ザによって「１ＣＨ」が選局されているときには、図５に示すように、「デジタル５ＣＨで同じ番組があり、アナログビデオ出力可能です。切り替えますか？」というものである。また、ディスプレイ１３には、ユーザにチャンネル切り替え指示の有無を選択させるための「ＯＫ」及び「Ｃａｎｃｅｌ」のダイアログボックスが同時に表示される。
【００４０】
そして、ユーザが上記Ｓ７でディスプレイ１３に表示されたダイアログボックスの「ＯＫ」を選択してチャンネル切り替えを指示すると（Ｓ８でＹＥＳ）、制御用マイコン１９は、デジタルサイマル放送（ここでは「５ＣＨ」）のチャンネルに切り替える（Ｓ９）。一方、ユーザがダイアログボックスの「Ｃａｎｃｅｌ」を選択すると（Ｓ８でＮＯ）、制御用マイコン１９は、上記Ｓ９の処理を行わない。
【００４１】
一方、上記Ｓ５の判断の結果で、アナログ出力が有効なデジタルサイマル放送がない場合（Ｓ６でＮＯ）、すなわち、ユ−ザによって選局されたデジタル放送信号のチャンネルで放送されているＴＶ番組のサイマル放送がないと判断された場合、又は、ユ−ザによって選局されたデジタル放送信号のチャンネルで放送されているＴＶ番組のサイマル放送がアナログ出力できない場合、制御用マイコン１９は、アナログサイマル放送判断部１９ｇを用いて、アナログサイマル放送があるか否かを判断するアナログサイマル放送判断処理（Ｓ１０）を行う。
【００４２】
上記Ｓ１０の判断処理の結果、アナログサイマル放送がある場合（Ｓ１１でＹＥＳ）、制御用マイコン１９は、ＯＳＤ出力部１９ｈを用いて、アナログサイマル放送がある旨のメッセ−ジをディスプレイ１３に表示する（Ｓ１２）。
【００４３】
上記Ｓ１２でディスプレイ１３に表示されるメッセ−ジは、例えば、ユ−ザによって「１ＣＨ」が選局されているときには、図６に示すように、「アナログ２ＣＨで同じ番組があり、アナログビデオ出力可能です。切り替えますか？」というものである。また、ディスプレイ１３には、ユーザにチャンネル切り替え指示の有無を選択させるための「ＯＫ」及び「Ｃａｎｃｅｌ」のダイアログボックスが同時に表示される。
【００４４】
そして、ユーザが上記Ｓ１２でディスプレイ１３に表示されたダイアログボックスの「ＯＫ」を選択してチャンネル切り替えを指示すると（Ｓ１３でＹＥＳ）、制御用マイコン１９は、アナログサイマル放送のチャンネル（ここでは「アナログ２ＣＨ」）に切り替える（Ｓ１４）。一方、ユーザが上記Ｓ１２でディスプレイ１３に表示されたダイアログボックスの「Ｃａｎｃｅｌ」を選択すると（Ｓ１３でＮＯ）、制御用マイコン１９は、上記Ｓ１４の処理を行わない。
【００４５】
一方、上記Ｓ１０の判断の結果、アナログサイマル放送がない場合（Ｓ１１でＮＯ）、制御用マイコン１９は、上記Ｓ１２以降の処理を行わない。また、制御用マイコン１９は、上記Ｓ２の判断の結果、ユーザによって選局されたデジタル放送信号のＴＶ番組がアナログ出力できる場合（Ｓ３でＹＥＳ）、上記Ｓ４以降の処理を行わない。
【００４６】
次に、上記Ｓ５におけるデジタルサイマル放送判断処理の詳細について、図７に示すフローチャートを参照して説明する。制御用マイコン１９は、番組情報１８ｃの内容により、デジタル放送信号に基づくＴＶ番組内に、ユ−ザによって選局されたチャンネルのＴＶ番組と放送局名及び番組タイトルが同一のＴＶ番組があるか否かを判断する（Ｓ２１）。
【００４７】
上記Ｓ２１の判断の結果、放送局名及び番組タイトル名が同一のＴＶ番組がある場合（Ｓ２２でＹＥＳ）、制御用マイコン１９は、アナログ出力フラグ判断部１９ｅを用いて、このＴＶ番組のアナログ出力が有効か否かを判断する（Ｓ２３）。この判断の結果、アナログ出力が有効である場合（Ｓ２４でＹＥＳ）、制御用マイコン１９は、他チャンネルにアナログ出力が有効なデジタルサイマル放送があると判断する（Ｓ２５）。
【００４８】
次に、上記Ｓ１０におけるアナログサイマル放送判断処理の詳細について、図８に示すフローチャートを参照して説明する。制御用マイコン１９は、番組情報１８ｃの内容により、アナログ放送信号に基づくＴＶ番組内に、ユ−ザによって選局されたチャンネルのＴＶ番組と放送局名が同一のＴＶ番組があるか否かを判断する（Ｓ３１）。
【００４９】
上記Ｓ３１の判断の結果、放送局名が同一のＴＶ番組がある場合（Ｓ３２でＹＥＳ）、制御用マイコン１９は、アナログサイマル放送があると判断する（Ｓ３３）。
【００５０】
上述したように、本実施形態に係るＴＶ受像機１においては、ユ−ザによって選局されたデジタル放送信号のＴＶ番組がアナログ出力できないと判断されたときに、受信可能なデジタル放送信号に基づくＴＶ番組内に、ユ−ザによって選局されたＴＶ番組のデジタルサイマル放送があり、このＴＶ番組がアナログ出力できると判断されたときに、デジタルサイマル放送のチャンネルに切り替える。そのため、ユ−ザは選局したＴＶ番組のデジタルサイマル放送を探す手間が無くなると共に、デジタルサイマル放送のＴＶ番組がアナログ出力できるか否かを判断する手間も無くなり、ＴＶ番組をアナログ出力する際の手間を低減できる。また、例えば、アナログビデオ出力部１７にハードディスクレコーダ等を接続してＴＶ番組をアナログ信号で外部出力することによりＴＶ番組を録画する際のユ−ザによる手間も低減できる。
【００５１】
また、ユ−ザによって選局されたデジタル放送信号のＴＶ番組がアナログ出力できないと判断されたときに、（１）受信可能なデジタル放送信号に基づくＴＶ番組内に、ユ−ザによって選局されたＴＶ番組のデジタルサイマル放送がないと判断された場合、又は、（２）受信可能なデジタル放送信号に基づくＴＶ番組内に、ユ−ザによって選局されたＴＶ番組のデジタルサイマル放送があると判断されたときであって、このデジタルサイマル放送に基づくＴＶ番組がアナログ出力できないと判断された場合、以下の処理を行う。すなわち、受信可能なアナログ放送信号に基づくＴＶ番組内に、ユ−ザによって選局されたデジタル放送信号のチャンネルで放送されているＴＶ番組のアナログサイマル放送があると判断されたとき、アナログサイマル放送のチャンネルに切り替える。そのため、ユ−ザは選局したＴＶ番組の、アナログサイマル放送を探す手間が無くなるので、ＴＶ番組をアナログ出力する際の手間を低減できる。また、ユ−ザによって選局されたデジタル放送信号のＴＶ番組を、アナログサイマル放送に切り替えることができるため、ユ−ザが所望のテレビジョン番組をより確実にアナログ信号で外部出力することができる。
【００５２】
なお、本発明は、上記実施形態の構成に限られず、発明の趣旨を変更しない範囲で種々の変形が可能である。例えば、上記実施形態において、欧州デジタル放送規格（ＤＶＢ）に基づく記述子のフラグの内容によって、デジタル放送によるＴＶ番組のアナログ出力可否を判断したが、これに限られず、他の規格による情報に含まれる各ＴＶ番組のアナログ出力可否情報に基づいて判断してもよい。
【符号の説明】
【００５３】
１  ＴＶ受像機（デジタル放送受信装置）
１１  デジタルチューナ部（デジタル放送信号受信手段）
１２  アナログチュ−ナ部（アナログ放送信号受信手段）
１７  アナログビデオ出力部（アナログ信号出力手段）
１９  制御用マイコン（制御手段）
１９ｄ  アナログ出力フラグ取得部（アナログ信号出力可否フラグ取得手段）
１９ｅ  アナログ出力フラグ判断部（アナログ信号出力可否判断手段）
１９ｆ  デジタルサイマル放送判断部（第１サイマル放送有無判断手段）
１９ｇ  アナログサイマル放送判断部（第２サイマル放送有無判断手段）
【図１】
2012049729.tif 000003
【図２】
2012049729.tif 000004
【図３】
2012049729.tif 000005
【図４】
2012049729.tif 000006
【図５】
2012049729.tif 000007
【図６】
2012049729.tif 000008
【図７】
2012049729.tif 000009
【図８】
2012049729.tif 000010